(57)【特許請求の範囲】
【請求項１】
１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置において、
画情報送信操作時に、画情報を他の宛先に配信させるための送信履歴用パスワードを入力要求し、入力された送信履歴用パスワードを、そのときの画情報送信動作に関して作成する履歴情報に登録する一方、ローカルエリアネットワークに接続された上記ワークステーション装置より送信履歴情報の取得が要求されたときには、そのときの上記ワークステーション装置より通知された送信履歴用パスワードと一致する内容の送信履歴用パスワードが登録されている上記履歴情報のみを取り出して、その要求元の上記ワークステーション装置へ送信することを特徴とするネットワークファクシミリ装置。
【請求項２】
１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置において、
画情報送信操作時に、画情報を他の宛先に配信させるための送信宛先情報用パスワードを入力要求し、入力された送信宛先情報用パスワードを、そのときの画情報送信動作に関して作成する履歴情報に登録する一方、ローカルエリアネットワークに接続された上記ワークステーション装置より送信履歴情報の取得が要求されたときには、そのときの上記ワークステーション装置より通知された送信宛先情報用パスワードと一致する内容の送信宛先情報用パスワードが登録されている上記履歴情報を取り出して、その要求元の上記ワークステーション装置へ送信することを特徴とするネットワークファクシミリ装置。
【発明の詳細な説明】
【０００１】
【発明の属する技術分野】
本発明は、１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置に関する。
【０００２】
【従来の技術】
近年、１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置が実用されている。
【０００３】
このようなネットワークファクシミリ通信システムを用いると、ローカルエリアネットワークに接続された複数のワークステーション装置から、公衆網に接続されているファクシミリ装置へ画情報を送信することができるので、非常に便利である。
【０００４】
【発明が解決しようとする課題】
しかしながら、このようなネットワークファクシミリ装置では、ローカルエリアネットワークに接続されているワークステーション装置から、その送信履歴や送信画情報などを参照することができるため、ある人の通信にかかる送信履歴や送信画情報が、他人に利用され、通信の秘密性が保持されないと言う不具合を生じていた。
【０００５】
本発明は、かかる実情に鑑みてなされたものであり、送信履歴や送信画情報を他人に利用されないようにすることができるネットワークファクシミリ装置を提供することを目的としている。
【０００６】
【課題を解決するための手段】
本発明は、１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置において、情報送信操作時に、画情報を他の宛先に配信させるための送信履歴用パスワードを入力要求し、入力された送信履歴用パスワードを、そのときの画情報送信動作に関して作成する履歴情報に登録する一方、ローカルエリアネットワークに接続された上記ワークステーション装置より送信履歴情報の取得が要求されたときには、そのときの上記ワークステーション装置より通知された送信履歴用パスワードと一致する内容の送信履歴用パスワードが登録されている上記履歴情報のみを取り出して、その要求元の上記ワークステーション装置へ送信するようにしたものである。
【０００８】
また、１つ以上のワークステーション装置が接続されたローカルエリアネットワークに接続されるとともに、公衆網を介し、ファクシミリ装置との間で所定のファクシミリ伝送手順を用いてファクシミリデータをやりとりするネットワークファクシミリ装置において、画情報送信操作時に、画情報を他の宛先に配信させるための送信宛先情報用パスワードを入力要求し、入力された送信宛先情報用パスワードを、そのときの画情報送信動作に関して作成する履歴情報に登録する一方、ローカルエリアネットワークに接続された上記ワークステーション装置より送信履歴情報の取得が要求されたときには、そのときの上記ワークステーション装置より通知された送信宛先情報用パスワードと一致する内容の送信宛先情報用パスワードが登録されている上記履歴情報を取り出して、その要求元の上記ワークステーション装置へ送信するようにしたものである。
【０００９】
【発明の実施の形態】
以下、添付図面を参照しながら、本発明の実施の形態を詳細に説明する。
【００１０】
図１は、本発明の一実施例にかかるネットワークシステムを示している。
【００１１】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。
【００１２】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１３】
また、ワークステーション装置ＷＳ１〜ＷＳｎには、グループ３ファクシミリ伝送手順処理を実行するとともに、ファクシミリ画情報を作成および表示出力するファクシミリアプリケーションソフトウェア（ファクシミリ通信手段）、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１４】
また、ネットワークファクシミリ装置ＦＸは、ローカルエリアネットワークＬＡＮに接続したワークステーション装置ＷＳ１〜ＷＳｎに対して、ファクシミリモデム機能等を提供するためのサーバ機能、画情報を電子メールとしてやりとりするための電子メール処理機能、および、公衆網（ＰＳＴＮ）に接続し、この公衆網を伝送路として用いてグループ３ファクシミリ伝送手順による画情報伝送を行う伝送機能を備えている。
【００１５】
図２は、ネットワークファクシミリ装置ＦＸの構成例を示している。
【００１６】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００１７】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２０】
網制御装置１１は、このファクシミリ装置を公衆網（ＰＳＴＮ）に接続するためのものであり、自動発着信機能を備えている。
【００２１】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２２】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２３】
また、網制御装置１１とグループ３ファクシミリモデム１０との間のデータのやりとりは、直接行なわれている。
【００２４】
さて、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２５】
また、各端末がメールサーバ装置ＳＭに対して、ユーザ宛の電子メールの受信確認や送信要求などのために適用するプロトコルとしては、いわゆるＰＯＰ（Ｐｏｓｔ  Ｏｆｆｉｃｅ  Ｐｒｏｔｏｃｏｌ）などを適用することができる。
【００２６】
また、ＴＣＰ／ＩＰ，ＳＭＴＰ，ＰＯＰなどの通信プロトコル、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００２７】
そして、ネットワークファクシミリ装置ＦＸは、読み取った原稿画像を公衆網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザへ送信するとともに、公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより受信した画情報を、指定された短縮ダイアルに対応した公衆網ＰＳＴＮのグループ３ファクシミリ装置へ転送する転送サービス機能等を備えている。
【００２８】
また、自端末宛に受信した電子メールについては、本文情報に配置される画情報を取り出して、記録出力するようにしている。
【００２９】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３０】
また、本実施例では、ユーザにより操作表示部７が操作され、画情報送信が指令されると、そのときにセットされた送信原稿をスキャナ５で読み取り、それによって得た画像データを符号化複号化部８で符号化圧縮し、それによって得た画情報を画像蓄積装置９に蓄積し、指定された宛先へ発呼して、蓄積した送信画情報を送信する。
【００３１】
そして、その画情報送信について、図３（ａ）に示すような履歴情報を作成する。また、蓄積した画情報を管理するために、同図（ｂ）に示すような蓄積管理情報を作成して保存する。
【００３２】
履歴情報は、ワークステーション装置ＷＳ（ＷＳ１〜ＷＳｎ）から履歴情報を取り出す際に参照される送信履歴用パスワード、送信日時、送信時の伝送モード、宛先の電話番号をあらわす宛先番号、その送信動作の結果をあらわす送信結果、および、送信する画情報のファイル番号をあらわす送信画情報ファイル番号からなる。
【００３３】
また、蓄積管理情報は、それぞれの蓄積画情報を識別するためのファイル番号、蓄積画情報の画像モード（解像度、符号化方式など）、および、対応する蓄積画情報が、画像蓄積装置９に記憶されている態様を記憶するための画像マッピング情報からなる。
【００３４】
図４は、このネットワークファクシミリ装置ＦＸを用いて、ユーザが画情報送信動作するときのネットワークファクシミリ装置ＦＸの処理の一例を示している。
【００３５】
ユーザにより送信原稿がスキャナ５にセットされると（処理１０１）、ネットワークファクシミリ装置ＦＸは、ユーザに宛先の入力を要求して、ユーザに操作表示部７を操作させて宛先を入力させ（処理１０２）、次いで、送信履歴用パスワードの入力を要求し、ユーザに操作表示部７を適宜に操作させて送信履歴用パスワードを入力させる（処理１０３）。
【００３６】
そして、ネットワークファクシミリ装置ＦＸは、そのときにセットされた送信原稿をスキャナ５で読み取り、それによって得た画像データを符号化複号化部８で符号化圧縮し、それによって得た画情報を画像蓄積装置９に蓄積し、指定された宛先へ発呼して、蓄積した送信画情報を送信する（処理１０４）。なお、画情報の蓄積時には、上述した蓄積管理情報を作成して、保存する。
【００３７】
このようにして、画情報の送信動作を終了すると、ネットワークファクシミリ装置ＦＸは、そのときの送信動作に関して、上述したような履歴情報を作成し、保存する（処理１０５）。
【００３８】
一方、ワークステーション装置ＷＳでは、ネットワークファクシミリ装置ＦＸの送信履歴を参照する場合には、図５に示すような処理を実行する。
【００３９】
まず、ユーザにより、履歴ビューワが起動されると（処理２０１）、ユーザに対して送信履歴用パスワードの入力を要求して、ユーザに送信履歴用パスワードを入力させ（処理２０２）、次いで、ネットワークファクシミリ装置ＦＸに対し、処理２０２で入力された送信履歴用パスワードを指定した状態で、履歴情報の取得要求を発行する（処理２０３）。
【００４０】
これにより、ネットワークファクシミリ装置ＦＸでは、ワークステーション装置ＷＳから指定された送信履歴用パスワードと同じ値が、送信履歴用パスワードにセットされている履歴情報が検索され、それによって得られた１つ以上の履歴情報が、ネットワークファクシミリ装置ＦＸからその履歴情報の取得要求元のワークステーション装置ＷＳへと送信される。なお、この場合におけるワークステーション装置ＷＳとネットワークファクシミリ装置ＦＸとの間のデータのやりとりは、適宜なポイント・ツー・ポイントの伝送プロトコルに従ってなされる。
【００４１】
したがって、ワークステーション装置ＷＳでは、ネットワークファクシミリ装置ＦＸから１つ以上の履歴情報を受信し（処理２０４）、その受信した１つ以上の履歴情報の内容を一覧表示して（処理２０５）、ユーザに対して、自分が行った送信動作の履歴を表示する。
【００４２】
このようにして、本実施例では、画情報送信時に送信履歴用パスワードを入力させて、履歴情報にその送信履歴用パスワードを登録する一方、ワークステーション装置ＷＳのユーザが送信履歴を参照要求する際には、送信履歴用パスワードを入力させ、ネットワークファクシミリ装置ＦＸより、同一の送信履歴用パスワードが登録されている履歴情報のみを取り出すようにしているので、ユーザは、自分の送信動作にかかる履歴情報のみを見ることができ、他のユーザの送信動作に関する履歴情報を見ることがなく、よって、通信の秘匿性が保持される。
【００４３】
ところで、上述した実施例では、送信動作の履歴情報にパスワードを設定して、他のユーザが、履歴情報を参照できないようにしているが、このパスワードを送信画情報に設定することもできる。
【００４４】
その場合、蓄積管理情報は、図６に示すように、図３（ｂ）の内容に、送信画情報用パスワードを追加した内容となる。
【００４５】
このときに、ネットワークファクシミリ装置ＦＸを用いて、ユーザが画情報送信動作するときのネットワークファクシミリ装置ＦＸの処理の一例を、図７に示す。
【００４６】
ユーザにより送信原稿がスキャナ５にセットされると（処理３０１）、ネットワークファクシミリ装置ＦＸは、ユーザに宛先の入力を要求して、ユーザに操作表示部７を操作させて宛先を入力させ（処理３０２）、次いで、送信画情報用パスワードの入力を要求し、ユーザに操作表示部７を適宜に操作させて送信画情報用パスワードを入力させる（処理３０３）。
【００４７】
そして、ネットワークファクシミリ装置ＦＸは、そのときにセットされた送信原稿をスキャナ５で読み取り、それによって得た画像データを符号化複号化部８で符号化圧縮し、それによって得た画情報を画像蓄積装置９に蓄積（処理３０４）。そして、そのときに蓄積した画情報について、上述したような送信画情報用パスワードが付加された蓄積管理情報を作成して保存する（処理３０５）。
【００４８】
このようにして、送信画情報の蓄積が終了すると、指定された宛先へ発呼して、蓄積した送信画情報を送信する（処理３０６）。
【００４９】
一方、ワークステーション装置ＷＳでは、ネットワークファクシミリ装置ＦＸの送信画情報を参照する場合には、図８に示すような処理を実行する。
【００５０】
まず、ユーザにより、履歴ビューワが起動されると（処理４０１）、ユーザに対して送信画情報用パスワードの入力を要求して、ユーザに送信画情報用パスワードを入力させ（処理４０２）、次いで、ネットワークファクシミリ装置ＦＸに対し、処理４０２で入力された送信画情報用パスワードを指定した状態で、送信画情報の取得要求を発行する（処理４０３）。
【００５１】
これにより、ネットワークファクシミリ装置ＦＸでは、ワークステーション装置ＷＳから指定された送信画情報用パスワードと同じ値が、送信画情報用パスワードにセットされている蓄積管理情報が検索され、それによって得られた１つ以上の蓄積管理情報にそれぞれ対応する画情報が、ネットワークファクシミリ装置ＦＸからその送信画情報の取得要求元のワークステーション装置ＷＳへと送信される。なお、この場合におけるワークステーション装置ＷＳとネットワークファクシミリ装置ＦＸとの間のデータのやりとりは、適宜なポイント・ツー・ポイントの伝送プロトコルに従ってなされる。
【００５２】
したがって、ワークステーション装置ＷＳでは、ネットワークファクシミリ装置ＦＸから１つ以上の送信画情報を受信し（処理４０４）、その受信した１つ以上の送信画情報の内容を表示して（処理４０５）、ユーザに対して、自分が行った送信動作の送信画情報を表示する。
【００５３】
このようにして、本実施例では、画情報送信時に送信画情報用パスワードを入力させて、蓄積管理情報にその送信画情報用パスワードを登録する一方、ワークステーション装置ＷＳのユーザが送信画情報を参照要求する際には、送信画情報用パスワードを入力させ、ネットワークファクシミリ装置ＦＸより、同一の送信画情報用パスワードが登録されている蓄積管理情報に対応した送信画情報のみを取り出すようにしているので、ユーザは、自分の送信動作にかかる送信画情報のみを見ることができ、よって、通信の秘匿性が保持される。
【００５４】
さて、ワークステーション装置ＷＳのユーザは、ファクシミリビューワーソフトを起動することで、自分がネットワークファクシミリ装置ＦＸに対して既に蓄積させた送信画情報を、他の宛先に配信させるすることを指定できる。
【００５５】
この場合でも、他のユーザの送信動作にかかる送信画情報を参照できるようにすることは、通信の秘匿性の上でも、また、必要な送信画情報を選択する際の手間の上でも好ましくない。
【００５６】
そこで、図９に示すように、履歴情報に、図３（ａ）の送信履歴用パスワードに代えて、送信宛先情報用パスワードを設定し、同一ユーザが履歴情報を参照して、蓄積送信画情報の配信を指定できるようにすると、上述した不都合を解消することができる。
【００５７】
このときに、ネットワークファクシミリ装置ＦＸを用いて、ユーザが画情報送信動作するときのネットワークファクシミリ装置ＦＸの処理の一例を、図１０に示す。
【００５８】
ユーザにより送信原稿がスキャナ５にセットされると（処理５０１）、ネットワークファクシミリ装置ＦＸは、ユーザに宛先の入力を要求して、ユーザに操作表示部７を操作させて宛先を入力させ（処理５０２）、次いで、送信宛先情報用パスワードの入力を要求し、ユーザに操作表示部７を適宜に操作させて送信宛先情報用パスワードを入力させる（処理３０３）。
【００５９】
そして、ネットワークファクシミリ装置ＦＸは、そのときにセットされた送信原稿をスキャナ５で読み取り、それによって得た画像データを符号化複号化部８で符号化圧縮し、それによって得た画情報を画像蓄積装置９に蓄積（処理３０４）。なお、この場合には、図３（ｂ）と同様な蓄積管理情報を作成して保存する。
【００６０】
このようにして、送信画情報の蓄積が終了すると、指定された宛先へ発呼して、蓄積した送信画情報を送信する（処理５０５）。そして、そのときの送信動作について、上述したような送信宛先情報用パスワードが付加された履歴情報情報を作成して保存する（処理５０６）。
【００６１】
一方、ワークステーション装置ＷＳでは、ネットワークファクシミリ装置ＦＸの送信画情報を参照して配信させる場合には、図１１に示すような処理を実行する。
【００６２】
まず、ユーザにより、ファクシミリビューワが起動されると（処理６０１）、ユーザに対して送信宛先情報用パスワードの入力を要求して、ユーザに送信宛先情報用パスワードを入力させ（処理６０２）、次いで、ネットワークファクシミリ装置ＦＸに対し、処理６０２で入力された送信宛先情報用パスワードを指定した状態で、履歴情報の取得要求を発行する（処理６０３）。
【００６３】
これにより、ネットワークファクシミリ装置ＦＸでは、ワークステーション装置ＷＳから指定された送信宛先情報用パスワードと同じ値が、送信宛先情報用パスワードにセットされている履歴情報が検索され、それによって得られた１つ以上の履歴情報が、ネットワークファクシミリ装置ＦＸからその送信画情報の取得要求元のワークステーション装置ＷＳへと送信される。なお、この場合におけるワークステーション装置ＷＳとネットワークファクシミリ装置ＦＸとの間のデータのやりとりは、適宜なポイント・ツー・ポイントの伝送プロトコルに従ってなされる。
【００６４】
したがって、ワークステーション装置ＷＳでは、ネットワークファクシミリ装置ＦＸから１つ以上の送信履歴情報を受信し（処理６０４）、その受信した１つ以上の送信履歴情報の内容を一覧表示して（処理６０５）、ユーザに対して、宛先を変更するか否かを問い合わせて、それぞれの送信履歴情報に関して宛先を変更操作させる宛先変更操作処理（処理６０６）を実行する。
【００６５】
これにより、ユーザが１つ以上の送信履歴情報について、宛先を変更した場合には（判断６０７の結果がＹＥＳ）、その宛先が変更されたそれぞれの送信履歴情報について、その送信履歴情報に記憶されていた送信画情報ファイル番号と、変更された宛先の内容を指定した状態で、ネットワークファクシミリ装置ＦＸへ送信要求を発行する（処理６０８）。
【００６６】
これにより、ネットワークファクシミリ装置ＦＸは、ワークステーション装置ＷＳから通知された送信画情報ファイル番号の蓄積画情報を、指定された送信宛先へ送信する送信動作を行う。
【００６７】
このようにして、本実施例では、画情報送信時に送信宛先情報用パスワードを入力させて、履歴情報にその送信宛先情報用パスワードを登録する一方、ワークステーション装置ＷＳのユーザが配信要求する際には、送信宛先情報用パスワードを入力させ、ネットワークファクシミリ装置ＦＸより、同一の送信宛先情報用パスワードが登録されている履歴情報のみを取り出し、宛先を変更できるようにしているので、ユーザは、自分の送信動作にかかる送信画情報のみを他の宛先へ配信させることができ、よって、通信の秘匿性が保持される。
【００６８】
【発明の効果】
以上説明したように、本発明によれば、画情報送信時に送信履歴用パスワードを入力させて、履歴情報にその送信履歴用パスワードを登録する一方、ワークステーション装置のユーザが送信履歴を参照要求する際には、送信履歴用パスワードを入力させ、ネットワークファクシミリ装置より、同一の送信履歴用パスワードが登録されている履歴情報のみを取り出すようにしているので、ユーザは、自分の送信動作にかかる履歴情報のみを見ることができ、他のユーザの送信動作に関する履歴情報を見ることがなく、よって、通信の秘匿性が保持されるという効果を得る。
【００７０】
また、画情報送信時に送信宛先情報用パスワードを入力させて、履歴情報にその送信宛先情報用パスワードを登録する一方、ワークステーション装置のユーザが配信要求する際には、送信宛先情報用パスワードを入力させ、ネットワークファクシミリ装置より、同一の送信宛先情報用パスワードが登録されている履歴情報のみを取り出し、宛先を変更できるようにしているので、ユーザは、自分の送信動作にかかる送信画情報のみを他の宛先へ配信させることができ、よって、通信の秘匿性が保持されるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】履歴情報と蓄積管理情報の一例を示した概略図。
【図４】ユーザが画情報送信動作するときのネットワークファクシミリ装置ＦＸの処理の一例を示したフローチャート。
【図５】ワークステーション装置ＷＳがネットワークファクシミリ装置ＦＸの送信履歴を参照する場合の処理の一例を示したフローチャート。
【図６】蓄積管理情報の他の例を示した概略図。
【図７】ユーザが画情報送信動作するときのネットワークファクシミリ装置ＦＸの処理の他の例を示したフローチャート。
【図８】ワークステーション装置ＷＳがネットワークファクシミリ装置ＦＸの送信画情報を参照する場合の処理の一例を示したフローチャート。
【図９】履歴情報の他の例を示した概略図。
【図１０】ユーザが画情報送信動作するときのネットワークファクシミリ装置ＦＸの処理のさらに他の例を示したフローチャート。
【図１１】ワークステーション装置ＷＳがネットワークファクシミリ装置ＦＸの送信画情報を参照して配信させる場合の処理の一例を示したフローチャート。
【符号の説明】
ＦＸ  ネットワークファクシミリ装置
ＷＳ，ＷＳ１〜ＷＳｎ  ワークステーション装置
【図１】
0003672437.tif 000002
【図２】
0003672437.tif 000003
【図３】
0003672437.tif 000004
【図４】
0003672437.tif 000005
【図５】
0003672437.tif 000006
【図６】
0003672437.tif 000007
【図７】
0003672437.tif 000008
【図８】
0003672437.tif 000009
【図９】
0003672437.tif 000010
【図１０】
0003672437.tif 000011
【図１１】
0003672437.tif 000012